(57)【特許請求の範囲】
【請求項１】
少なくとも１つの柔軟性のある土台、アンテナ及び電子チップを備える柔軟性のある電子ラベルにおいて、前記チップは前記柔軟性のある土台に強固に組み込まれて前記アンテナに接続され、強固で取り外し不可能なエレメントが、前記土台の少なくとも１つの面上で前記チップの上方及び／又は下方に配置される隆起部を形成し、前記強固で取り外し不可能なエレメントは、前記柔軟性のある土台上の前記チップの近傍で前記チップを囲む領域に配置されることを特徴とする、柔軟性のある電子ラベル。
【発明の詳細な説明】
【０００１】
（技術分野）
本発明は、電子ラベルに関し、より詳しくは、柔軟性のある電子ラベルに関する。
【０００２】
（背景技術）
電子ラベルという用語は、少なくとも１つの柔軟性のある土台、アンテナ及び電子チップを備える組み立て品と理解される。この組み立て品は、必要に応じて、数個のアンテナや数個のチップを備えてもよい。電子ラベルは、ボタン形式、スマートカード中、あるいは、手荷物ラベルにさえ見かけられる。そのアンテナのおかげで、電子ラベルは、遠隔読み取り装置との通信が可能となる。アンテナは、通信手段として機能するばかりでなく、電子チップに供給することが必要なエネルギーの産出にも対処できる。
【０００３】
本発明の実施形態によれば、アンテナは、柔軟性のある土台に付加されたり、同じ土台に直接彫り込んだり刻んだりされる。
【０００４】
チップについては、例えば、情報の読み取りのみを可能にするものや、記憶とその変更を可能にするものなど、機能の異なる様々なものがある。記憶とその変更を扱う後者のチップは、何もよりも電子財布の用途で用いるが、電子財布はユーザーの消費に応じて残量が減っていくものと理解しなければならない。
【０００５】
本発明は特に、柔軟性のある電子ラベルに主眼を置いている。柔軟性のある電子ラベルは、腕輪形式や記章形式の鑑賞券で見かけるほか、布地に埋め込まれていることさえある。これらは、衣服のような目的物に付加してもよいし、例えば腕輪として機能する柔軟性のある土台といった形式にしてもよい。
【０００６】
薄銅配線の組み立て品に組み込まれたアンテナを、容易に曲げたりねじったりできる場合には、電子チップ自体を埋め込むための堅固なゾーンが必要となる。確かに、シリコンチップは壊れやすいので、それが、機構的な侵害や化学作用（腐食）から保護するために樹脂に埋め込む理由となっている。この樹脂は、チップとアンテナの接触部も保護することができる。
【０００７】
これが、チップ又はその接触部を壊さないように、チップのゾーンが折り曲げられない領域となっている理由である。このゾーンは、チップを埋め込むせいで、直径約５〜７ｍｍになる。チップの埋め込みは組み立て上は追加的な作業になるので、こうしたラベルの費用はさらに高価になる。
【０００８】
（発明の開示）
本発明の目的は、柔軟性のある土台上の堅固なゾーンを縮小する一方で、同時にチップの保護を保証することである。
【０００９】
この目的は、少なくとも１つの柔軟性のある土台、アンテナ及び電子チップを備える柔軟性のある電子ラベルによって達成されるが、その電子ラベルにおいては、前記電子チップが柔軟性のある土台上に組み込まれ、アンテナに接続される。このラベルは、土台に付加された堅固なエレメントによってチップの保護が保証されるという事実によって特徴付けられる。
【００１０】
このように、堅固さを保証するのは、もはやチップの埋め込みではなく、チップの上又は下に置かれる堅固なエレメントである。このエレメントは、装飾エレメントとしても都合よく機能してよい。
【００１１】
堅固なエレメントは、固定エレメントや留め具など、例えば、柔軟性のある土台上にすでに組み込まれている堅固なエレメントの延長部分でもよい。この方法で、腕輪の留め具は、腕輪の柔軟性のある部分に組み込まれたチップを覆うように延長することができる。これは、あらゆる種類の留め具に応用でき、入院患者専用のベロ又は留め具付きの時計用バンドにしてもよい。常に、チップの保護機能を有する堅固な部分が用意される。
【００１２】
留め具がない場合なら、この堅固なエレメントは、独立形式であって、柔軟性のある土台のどちらかの面からチップの収納部を覆って、この趣旨でプレートを嵌め込むためにこの柔軟性のある土台を貫通する脚を有する堅固なドーム形式にすることができる。
【００１３】
別の実施形態によれば、堅固なドームは電子チップの下に置かれる。
【００１４】
脚の接着、溶接、熱変形など、組み込みについては、他の形式や手段を思い浮かべることができる。
【００１５】
特定用途では、チップを後で組み込んで、必要に応じて、チップに変更を加えるのも面白い。このために、本発明は、電子チップを含む堅固なエレメントに同じように応用され、電子チップは、この趣旨で予測される接触部用のトレーという手段によってアンテナに接続される。
【図面の簡単な説明】
本発明は、本書に添付の図面を参照しながら記述される、以下の詳細な説明によって理解が深まるだろう。本書に添付の図面は、以下のように、非限定的な例として与えられる。
【図１】  本発明による電子ラベルを含む、ベロと留め金付きの腕輪を表している。
【図２】  電子ラベルと付加された堅固なエレメントを含む柔軟性のある腕輪を表している。
【図３】  図２の柔軟性のある腕輪の断面図を表している。
【図４】  電子チップを接続できる電子ラベルのアンテナを表している。
【図５】  柔軟性のある土台上に組み合わせられているアンテナに接触する電子チップの組み立て品を表している。
（発明を実施するための最良の形態）
図１では、柔軟性のある腕輪２に含まれているアンテナ３を点線で示している。アンテナは一般的に、機構的にそれを保護する二層構成の薄織物の間に挿入される。電子チップ４は、アンテナ３にそって配置され、アンテナには一般的に２本の金線によって接続される。留め金１は堅固な状態で、本例では、チップ４が置かれている場所を覆う隆起部１ａがある。
止めクリップの一部分をちょうど電子チップの上にかかるように伸ばした例として、他形式の留め金を用いてよい。
低価格の腕輪を用いるときは、後者は一層のみの構成でよく、アンテナと電子チップを本発明による腕輪の内側に貼り付けて、留め具の一部が電子チップを覆うようにする。
図２は、留め金１の一部を用いてチップ４を保護したくない場合の実施例を示している。この場合、チップ４の上に付加するエレメント５を用いる。このエレメント５は、本書ではドーム形式になっていて、柔軟性のある土台２に貼り付けてある。このドームは、接着又は熱接着、あるいは嵌め込みといったいくつかの方法で保持できるものと理解される。このドームは、例えば会社ロゴ形式などにするなど、宣伝支援用として機能させてもよい。
電子ラベルを組み立てるこの方法は、柔軟性のある土台のすべてに適用され、腕輪に限定されることはない。こうした組み立て品は、航空券や鑑賞券の中、服地の内側、走者の背番号布の中に、組み込むことができる。
図３は、堅固なエレメントの１つの実施例の断面図を示したものである。上蓋形式のドーム５から、プレート６に嵌め込むために柔軟性のある土台２に２本の脚５ａと５ｂが貫通しているのがわかる。柔軟性のある土台２は、上層２ａと下層２ｂから構成されている。アンテナ３は、これら２層の間に挿入され、電子チップ４に接続されている。本書に提示されていない１つの実施形式では、上層によって電子チップが覆われる。図３に示されている別の実施形態では、上層には、電子チップ４を通す開口部がある。後者の構成では、厚みを減らすことができる。
別の実施形態では、ドーム５には、エポキシド樹脂やシリコンなどの充填剤でチップ４の空間を満たすことを目的とした２つの開口部５ｃと５ｄがある。これにより、湿気、蒸気による腐食や、腐食性清浄剤から、チップ４を保護できるという長所が生じる。エポキシド樹脂は、最初の開口部５ｃを通じて注入され、ドーム５内部の空間が満たされると、余分な樹脂が開口部５ｄから流出してくる。
本実施例の１つの実施形態によれば、ドーム５は所定の位置に置かれる前に少量の樹脂で前もって満たされる。余分な樹脂は、この趣旨から予測されるように、開口部を通して流出する。
図４は、アンテナ３は含むが電子チップは含まない柔軟性のある土台２の実施例を示している。柔軟性のある土台２には、アンテナ３の導電性の２つの両端がアクセス可能な２つのゾーン７ａと７ｂが見えている。必要性に応じて、これらのゾーンは導電性素材（金、アルミニウム、銅又は炭素）で被覆する。組み立てを容易にするために、組み立てを目的とした２つの開口部２ｃと２ｄを、くぼみの両側に配置してある。
図５に、この実施例の組み立てが示されている。堅固なエレメント５は、電子チップ４を備えている。したがって、保護物５を配置する措置によって、チップがアンテナと接触することになって、電子ラベルが動作可能になる。この趣旨で、１つの実施形態によれば、堅固なエレメント５は、電子チップが搭載されている基板９を備えている。また、この基板上には、アンテナ３にリンクされた２つのくぼみ７ａと７ｂの前方に２つの導電線８ａと８ｂが配置されている。これらの線は、例えば、炭素の被着によって実現できる。柔軟性のある土台を貫通する脚５ａと５ｂによって堅固なエレメント５を組み立てると、アンテナとチップとの接触の位置決めが同時に確実になるので長所となる。
チップとアンテナの間の安定性と電気的導電性を改善するために、導電性結合剤として機能する接触部に、導電性接着剤を塗布できる。
他のチップの実施形式では、基板９の存在は必要ない。電子チップには、「フェースダウン」という名称で、接続を目的とした起伏が含まれることが周知である。この起伏のおかげで、チップは直接的に柔軟性のある土台に貼り付けて、アンテナに接続できる。別の実施形態によれば、導電膜、つまり、チップとアンテナの間の導電性を保証する膜を、チップに適用することが周知となっている。この種の実施例においては、熱処理によって、導電性ゾーンの輪郭が描かれる。
本実施例の１つの実施形態によれば、堅固なエレメント５は、このラベルに適用する為のバッテリ、バイブレータ、ＬＥＤ、変換器など、付属品を備えている。
専用用途の腕輪は、ショーの入場制限や入院患者の身元証明といった用途に用いられる。このような用途では、そうした腕輪を開くには壊すしか方法がないものと想定される。この見解では、電子ラベルで行われる認証は、目視認証と同じ根拠で同じように中断できることが重要である。
第1の実施形態によれば、電子チップをその一部分で覆う留め具は、開けようとされた場合には、チップ又はアンテナが壊れるように配置されている。この目的のために、いくつかの実施形態を用いることができる。
最初の実施形態によれば、チップを覆う留め具の一部はチップに接着される。この方法によって、留め具が力ずくで開けられた場合には、電子チップはその柔軟性のある土台から引き剥がされ、アンテナとの接触が絶たれるために、もはや動作できない。チップを柔軟性のある土台に貼り付けておく接着剤は、チップを留め具に結合している接着剤よりも接着力が小さい。
第２の実施形態によれば、留め具のうちチップを保護している部分は、柔軟性のある腕輪を貫通する２つの差し込み部を持っている。柔軟性のある腕輪の開口部はそれより短い間隔で配置され、その開口部の間にはアンテナの導線の少なくとも１つが通っている。２つの差し込み部は、アンテナの導線が再び露出することがないようにその両端の間隔が広くなっている。この機能は、嵌め込みで追加される部品か、例えば差し込み部の熱変形から得られる部品のどちらかによって保証される。
無理に開こうとすると、２つの開口部間の通り道を裂けないままに、差し込み部を抜くことはできないので、アンテナに決定的な中断が生じて、結果的にラベルがもはや動作不能になる。
この種のセキュリティは、留め具に向けられる侵害行為にうまく適応しているが、詐欺師は常に存在し、腕輪を切って第三者に渡すことができるため、その第三者はラベルの電子機能のおかげで自分の身元を正当化することができる。
この種の術策を防ぐために、本発明の特定の実施形態に従って、アンテナの少なくとも１つの曲がり角が電子ラベルの全長にわたって展開されるように提案する。この方法では、アンテナを侵害せずに、すなわち電子モジュールの機能を侵害せずにこの種の腕輪を切ることができない。
アンテナのすべてを腕輪の全長にわたって展開する必要はなく、腕輪の侵害を可能にする通り道を残さないように、１つの曲がり角が留め具の部品の１つからその他の部分へと通っていれば十分である。
この実施例の１つの実施形態によれば、電子チップには、その機能を可能にするためにお互いのリンクが不可欠となる２つの接続がある。これら２つの接続は、電子ラベルの全長にわたっていて、この電子ラベルをどのように切断しても導線を例外なく中断し、結果的にチップの機能停止を招く導線にリンクされている。
導電性配線によるこれと同じ機能を用いると、任意にラベルを動作不能にできる。思い浮かぶのは、その一部に切り込みが入れられるが、導電性配線の部分は無視される航空券である。前記航空券の検証時には、オペレータがこの趣旨の予測される場所でクーポンを切って、導電性配線を中断させる。この作業によって、電子モジュールが動作不能になる。
この部分は分離されることが予定されており、切り込みを入れたり、そのラベル領域を弱めることで成立可能である。事実、柔軟性のある土台の厚みは、この場所を後で切断しやすいように、薄くすることができる。
【図１】
0004687940.tif 000002
【図２】
0004687940.tif 000003
【図３】
0004687940.tif 000004
【図４】
0004687940.tif 000005
【図５】
0004687940.tif 000006